(57)【要約】【課題】  肺機能検査用フィルタ容器が使用前の物か使用後の物かを判別でき、さらに、フィルタ容器内に異物が混入しない肺機能検査用フィルタ容器を提供する【解決手段】  肺機能検査用フィルタ容器１０は、フィルタ収納部１１とマウスピース接続部１２と装置接続部１３とバージンシール１４とフィルタ１５からなる。フィルタ収納部１１はフィルタ収納部１１ａとフィルタ収納部１１ｂに２分割され、内部にフィルタ１５を収納する。フィルタ収納部１１ａには略円筒形状のマウスピース接続部１２が形成され、また同様に、フィルタ収納部１１ｂには略円筒形状の装置接続部１３が形成されている。マウスピース接続部１２の開口端はバージンシール１４によって封止されている。【選択図】 図１
0003164406.tif 000002
【実用新案登録請求の範囲】
【請求項１】
肺機能検査装置に用いられる肺機能検査用フィルタ容器において、前記フィルタ容器は、
フィルタを収納するためのフィルタ収納部と、
前記フィルタ収納部に連通され、開口端にマウスピースを接続するための筒状のマウスピース接続部と、
前記フィルタ収納部に連通され、開口端に肺機能検査装置を接続するための筒状の装置接続部と、
前記マウスピース接続部の開口端を封止するためのバージンシールと
を備えることを特徴とする肺機能検査用フィルタ容器。
【請求項２】
肺機能検査装置に用いられる肺機能検査用フィルタ容器において、前記フィルタ容器は、
一端にフランジが設けられたマウスピースを接続するための筒状のマウスピース接続部と、
一端にフランジが設けられた肺機能検査装置を接続するための筒状の装置接続部と、
前記マウスピース接続部のフランジと、前記装置接続部のフランジを嵌合することにより形成される、フィルタを収納するフィルタ収納部と、
前記マウスピース接続部の他端の開口端を封止するためのバージンシールと
を備えることを特徴とする肺機能検査用フィルタ容器。
【請求項３】
請求項１又は２記載の肺機能検査用フィルタ容器において、
前記マウスピース接続部の開口端以外の全ての開口端もバージンシールによって封止されていること
を特徴とする肺機能検査用フィルタ容器。
【請求項４】
請求項３に記載の肺機能検査用フィルタ容器において、
前記バージンシールは、封止される部位によって表面の色彩が異なること
を特徴とする肺機能検査用フィルタ容器。
【考案の詳細な説明】
【技術分野】
【０００１】
本考案は肺機能検査に用いられるスパイロメーター等の装置を使用した際、装置を媒介とした各患者間での交差感染を予防するためのフィルタ容器に関するものである。
【背景技術】
【０００２】
現在、気管支ぜんそくや肺の病気の診断、治療効果の測定、手術の際の麻酔法の選択時に肺機能検査を行っている。肺機能検査は例えばスパイロメーター等の機器を使用する。
【０００３】
スパイロメーターでの測定項目は、主に、肺活量、％肺活量、努力性肺活量、１秒量、１秒率、残気量等を測定し、肺の診断をする。
肺活量が規定値より小さい場合は肺結核や肺線維症などの拘束性肺機能障害が疑われる。また、１秒率が規定値より小さい場合は気管支ぜんそくや気管支拡張症などの閉塞性肺機能障害が疑われる。
【０００４】
測定は、スパイロメーターに接続されたマウスピースをくわえて呼吸をすることによって行われる。
通常マウスピースとスパイロメーターとの間には収納容器に収められた肺機能検査用フィルタが装着され、スパイロメーター内に患者の唾液や痰、水滴や異物が混入しない構造になっている。これにより、各患者間での交差感染を予防することができる。
【０００５】
肺機能検査用フィルタは薬事法により管理医療機器クラス分類ＩＩに指定されている。マウスピースやフィルタ及びフィルタの収納容器は交差感染防止等の衛生管理のために測定毎に取り替える必要がある。従来のマウスピースやフィルタ収納容器では消毒して再利用することが多かった。
しかし、最近では消毒の煩雑さや衛生面から、フィルタ収納容器は単回使用後廃棄されることが多い。
【考案の概要】
【考案が解決しようとする課題】
【０００６】
ところが、従来の単回使用の肺機能検査用フィルタ容器は、製品が使用前か使用後か判別することは難しく、場合によっては１つのフィルタで複数回使用してしまう可能性があるので、交差感染等の防止を徹底することは困難であった。
【０００７】
また、使用前のフィルタ容器内のマウスピース接続部周辺に異物が入り、検査時に患者の口腔内に入ってしまう可能性があり、場合によっては怪我をする恐れもあった。
【０００８】
本考案は上記を鑑みてなされたものであって、肺機能検査用フィルタ容器が使用前の物か使用後の物かを判別でき、また、容器内に異物が混入しない肺機能検査用フィルタ容器を提供することにある。
【課題を解決するための手段】
【０００９】
本考案に係る請求項１の考案は、肺機能検査装置に用いられる肺機能検査用フィルタ容器において、前記フィルタ容器は、フィルタを収納するためのフィルタ収納部と、前記フィルタ収納部に連通され、開口端にマウスピースを接続するための筒状のマウスピース接続部と、前記フィルタ収納部に連通され、開口端に肺機能検査装置を接続するための筒状の装置接続部と、前記マウスピース接続部の開口端を封止するためのバージンシールとを備えることを特徴としている。
【００１０】
請求項２の考案は、肺機能検査装置に用いられる肺機能検査用フィルタ容器において、前記フィルタ容器は、一端にフランジが設けられたマウスピースを接続するための筒状のマウスピース接続部と、一端にフランジが設けられた肺機能検査装置を接続するための筒状の装置接続部と、前記マウスピース接続部のフランジと、前記装置接続部のフランジを嵌合することにより形成される、フィルタを収納するフィルタ収納部と、前記マウスピース接続部の他端の開口端を封止するためのバージンシールとを備えることを特徴としている。
【００１１】
請求項３の考案は、請求項１記載の肺機能検査用フィルタ容器において、前記マウスピース接続部の開口端を含む全ての開口端がバージンシールによって封止されていることを特徴としている。
【００１２】
請求項４の考案は、請求項２に記載の肺機能検査用フィルタ容器において、前記バージンシールは、封止される部位によって表面の色彩が異なることを特徴としている。
【考案の効果】
【００１３】
請求項１の考案では、肺機能検査用フィルタ容器のマウスピース接続部の開口端にバージンシールが貼り付けられていて、シールを剥がさないと使用できないので、フィルタ容器が使用前か使用後かを判別することが容易である。また、シールに注意書きを施すこともできる。
【００１４】
さらに、マウスピース接続部の開口端にのみバージンシールを貼り付けているので、どの開口部にマウスピースや肺機能検査装置を接続すればいいのか一目瞭然となり、反対に取り付けるという間違いが起きなくなるという利点もある。
【００１５】
また、バージンシールが張られているので容器内のマウスピース接続部周辺に異物が混入する可能性が極めて低く、検査時に異物が患者の口腔内に入ってしまうことを防止できる。また、使用前のフィルタ内部にウイルス等が付着することも防止できる。
【００１６】
また、請求項２の考案では、マウスピース接続部に設けられたフランジと、装置接続部に設けられたフランジを嵌合することによってフィルタ収納部を構成する。製造する際、嵌合する前にフランジ内にフィルタを載置してから嵌合するのでフィルタの位置決め及び固定が確実に行われ、例えば、分割不可能な収納容器に外部からフィルタを所定位置に挿入して固定するような構造よりも製造・組立てがより簡便になる。
【００１７】
また、請求項３の考案では、肺機能検査用フィルタ容器の全ての開口端にバージンシールが張られている。このため、患者側の異物の混入防止だけでなく、肺機能検査装置側にも異物の混入を防止でき装置の故障等を未然に予防できる。
【００１８】
また、請求項４の考案では、肺機能検査用フィルタ容器の全ての開口端にバージンシールが張られ、その貼り付け位置によってバージンシールの色彩が異なるので、どの開口部にマウスピースや肺機能検査装置を接続すればいいのか一目瞭然である。また、シールに注意書きを施したり、どの開口部と接続すればいいかの案内書きを施すこともできる。
【図面の簡単な説明】
【００１９】
【図１】本考案の肺機能検査用フィルタ容器の一実施例を示す図である。（ａ）は正面図、（ｂ）は断面図である。
【図２】図１の部品構成図である。
【図３】本考案の肺機能検査用フィルタ容器を肺機能検査装置に装着した場合の一実施形態を示す図である。
【考案を実施するための形態】
【００２０】
以下、本考案に係る肺機能検査用フィルタ容器の一実施形態を図面を参照して説明する。
肺機能検査用フィルタ容器１０は、図１のようにフィルタ収納部１１とマウスピース接続部１２と装置接続部１３とバージンシール１４とフィルタ１５からなる。
本実施例ではバージンシール１４はマウスピース接続部１２に貼り付けられているが、装置接続部１３と両方とも貼り付けても良い。また、本実施例では容器の材質は合成樹脂で成形されている。
【００２１】
図1（ｂ）のように、フィルタ収納部１１は、マウスピース接続部１２に設けられたフランジ１１ａと、装置接続部１３に設けられたフランジ１１ｂを嵌合することによってフィルタ１５を収納するための空間が構成されている。フィルタ収納部１１は本実施例では円柱形状だが直方体形状でも良い。
【００２２】
また、フランジ１１ａの嵌合部分の内部には溝部１６が内周に沿って形成されている。そして、フランジ１１ｂの嵌合部分の内部には、溝部１６にはめ込むように突起部１７が形成されている。
【００２３】
組立ての際には、フィルタ１５をフランジ１１ａの溝部１６とフランジ１１ｂの突起部１７で挟み込んで嵌合するので、フィルタ１５を確実に固定することができる。さらに、フィルタ１５を挟み込むことによって患者側と検査装置側の空間を確実に隔離することができるので、交差感染のリスクをより低くすることができる。
【００２４】
フランジ１１ａ及びフランジ１１ｂの嵌合部分はエアリークを確実に防止する場合には外周に沿って溶着する。その他エアリークを防止できれば、ねじ込みによる嵌合や接着剤による接合などの方法によって嵌合されても良い。溶着は超音波溶着や熱溶着等で行われ、エアリークが防止できる上に嵌合時の異物の発生を抑えることもできる。
【００２５】
マウスピース接続部１２及び装置接続部１３の開口端の形状は、接続されるマウスピースや検査装置の接続部分の形状に合わせて形成されている。マウスピース接続部１２には通常患者の体格に合わせたマウスピース２０を接続するが、マウスピース接続部１２自体がマウスピースの役割を果たすような形状となっていても良い。
【００２６】
マウスピース接続部１２の開口端はバージンシール１４によって封止されている。
肺機能検査用フィルタ容器１０の組立ては、マウスピース接続部１２の開口端がバージンシール１４によって封止された後、クリーンルーム内でそれぞれの部材を組み立ててて完成する。そのため、容器のマウスピース側内部に異物やウイルス等が混入する可能性は非常に低くなり、肺機能検査の際、吸い込み時に異物が口腔内に侵入する可能性が非常に低くなる。
【００２７】
肺機能検査用フィルタ容器１０の使用方法は、図３に示すように、検査直前にマウスピース接続部１２のバージンシール１４を剥がしマウスピース２０を取り付け、装置接続部１３は肺機能検査装置３０から伸びるホース３１に接続する。ホース３１との接続は、装置接続部１３の外面側がホース３１の内面側にはめ込まれる。バージンシール１４は検査直前まで剥がさないようにすれば、異物の混入が極力避けられるし、接続間違えを起こすこともない。
【産業上の利用可能性】
【００２８】
本考案の実施の形態では、肺機能検査用フィルタ容器を肺機能検査装置に装着して使用するようにしたが、これに限らず人工呼吸器等にも装着することができる。
【符号の説明】
【００２９】
１０    肺機能検査用フィルタ容器
１１    フィルタ収納部
１１ａ  フランジ
１１ｂ  フランジ
１２    マウスピース接続部
１３    装置接続部
１４    バージンシール
１５    フィルタ
１６    溝部
１７    突起部
２０    マウスピース
３０    肺機能検査装置
３１    ホース
【図１】
0003164406.tif 000003
【図２】
0003164406.tif 000004
【図３】
0003164406.tif 000005